(57)【特許請求の範囲】
【請求項１】
足用マッサージ台が本体側フレームに回転自在に取付けられ、足用マッサージ台を本体の座部の前方に突出させた状態と座部の下方に収納した状態に切り替え自在となった椅子型のマッサージ機において、足用マッサージ台側フレームに設けたピン孔と本体側フレームに設けたピン孔とに挿入されて足用マッサージ台側フレームを本体側フレームに回転自在に結合するための結合ピンと、該結合ピンを少なくとも一方のピン孔の内壁面に押し付けるための押し付け部材とを備えていると共に、足用マッサージ台側フレームに足用マッサージ用の振動ユニットが取付けられていることを特徴とするマッサージ機。
【請求項２】
足用マッサージ台側フレームにバネを介して足用マッサージ用の振動ユニットが取付けられ、足用マッサージ台側フレームの引掛け孔に引っ掛けられるバネのフック部が曲げ部と逆曲げ部とを備えた略Ｓ字状に形成されていることを特徴とする請求項１記載のマッサージ機。
【発明の詳細な説明】
【０００１】
【発明の属する技術分野】
この発明は、椅子型のマッサージ機に関するものである。
【０００２】
【従来の技術】
従来より、図１０に示すように、足を乗せてマッサージを行うための足用マッサージ台３を本体４側に回転自在に取付け、足用マッサージ台３を座部６の前方に突出させた状態と座部６の下方に収納した状態に切り替え自在となった椅子型のマッサージ機１が知られている。図中の２０は背もたれ部、２１は足用マッサージ台３を回動操作するレバーである。
【０００３】
また従来より、足用マッサージ台を回転自在に結合する方法として、例えば足用マッサージ台側フレームと本体側フレームとの結合部にそれぞれピン孔を設け、結合ピンを各ピン孔に挿入して回転自在に結合する方式が採用されている。
【０００４】
【発明が解決しようとする課題】
ところが、従来のように結合ピンによる結合方式にあっては、結合ピンを挿入するためには、ピン孔を大きくして結合ピンと本体側フレームとの間にクリアランスを設ける必要がある。このため、使用状態によっては足用マッサージ台に内蔵されている振動ユニットの振動に結合ピンが共振して、クリアランス分のガタツキによる振動音が発生して使用者に不快感を与えるという問題があり、さらに結合ピンそのものが磨耗するという問題もあった。
【０００５】
本発明は、上記従来例に鑑みてなされたもので、簡単な構造で、結合ピンと本体側フレームとのクリアランス分のガタツキによる振動音の発生防止を図ることができ、快適な使用性が得られると共に、結合ピンの磨耗防止を図ることができるマッサージ機を提供することを課題とし、さらに、振動ユニットが足用マッサージ台側フレームに確実に取付けられる構造でありながら、振動ユニットから足用マッサージ台側フレームへの振動の伝達を抑制できるようにしたマッサージ機を提供することを課題とする。
【０００６】
【課題を解決するための手段】
上記課題を解決するために、本発明は、足用マッサージ台３が本体側フレーム４に回転自在に取付けられ、足用マッサージ台３を本体２の座部６の前方に突出させた状態と座部６の下方に収納した状態に切り替え自在となった椅子型のマッサージ機において、足用マッサージ台側フレーム５に設けたピン孔８と本体側フレーム４に設けたピン孔７とに挿入されて足用マッサージ台側フレーム５を本体側フレーム４に回転自在に結合するための結合ピン９と、該結合ピン９を少なくとも一方のピン孔７の内壁面７ａに押し付けるための押し付け部材とを備えている足用マッサージ台３が本体側フレーム４に回転自在に取付けられ、足用マッサージ台３を座部６の前方に突出させた状態と座部６の下方に収納した状態に切り替え自在となったマッサージ機１において、足用マッサージ台側フレーム５に設けたピン孔８と本体側フレーム４に設けたピン孔７とに挿入されて足用マッサージ台側フレーム５を本体側フレーム４に回転自在に結合するための結合ピン９と、該結合ピン９を少なくとも一方のピン孔７の内壁面７ａに押し付けるための押し付け部材１０とを備えていると共に、足用マッサージ台側フレーム５に足用マッサージ用の振動ユニット１７が取付けられていることを特徴としており、このように構成することで、押し付け部材１０によって結合ピン９と本体側フレーム４とのクリアランスＳ分のガタツキによる振動音の発生防止を図ることができ、快適な使用性が得られると共に、ガタツキによる結合ピン９の磨耗防止をも図ることができる。
【０００７】
また、足用マッサージ台側フレーム５にバネ１４を介して足用マッサージ用の振動ユニット１７が取付けられ、足用マッサージ台側フレーム５の引掛け孔１６に引っ掛けられるバネ１４のフック部１５が曲げ部１５ａと逆曲げ部１５ｂとを備えた略Ｓ字状に形成されているのが好ましく、この場合、バネ１４が足用マッサージ台側フレーム５の引掛け孔１６から外れる心配がなく、振動ユニット１７を足用マッサージ台側フレーム５に確実に取付けることができると共に、振動ユニット１７から足用マッサージ台側フレーム５への振動の伝達を抑制できるようになる。
【０００８】
【発明の実施の形態】
以下、本発明の実施形態の一例を説明する。
椅子型のマッサージ機１は、図３に示すように、座部６と、マッサージ機構１９を内蔵した背もたれ部２０とを備えた本体２と、足のマッサージを行うための足用マッサージ台３とで主体が構成されている。本体２は、図４に示すように、パイプで枠組みした本体側フレーム４を備えていると共に、足用マッサージ台３は、足用マッサージ台側フレーム５と、この足用マッサージ台側フレーム５に取付けられる振動ユニット１７とを備えている。
【０００９】
本体側フレーム４は、例えば左右一対の下部パイプ４ａと、下部パイプ４ａ同士を連結する連結パイプ４ｂと、各下部パイプ４ａの中央から立設される一対の垂直パイプ４ｃと、各垂直パイプ４ｃの上端から前方に突出した一対の上部パイプ４ｄとを備えており、一対の上部パイプ４ｄの各前端の両側面には、図１及び図２に示すようにピン孔７がそれぞれ穿設されており、結合ピン９が上部パイプ４ｄと直交する方向からピン孔７に挿入されるようになっている。また、各上部パイプ４ｄの前端部は開口しており、この開口部４ｅに押し付け部材１０を構成する外付けキャップ１１が装着されるものである。尚図３中の１８は略円弧状に形成された肘掛けアームである。
【００１０】
足用マッサージ台３は、図３〜図５に示すように、本体側フレーム４の上部パイプ４ｄに回転自在に結合される足用マッサージ台側フレーム５を備えている。この足用マッサージ台側フレーム５は、四角形状の外周パイプ５ａと複数の補助パイプ５ｂとを備えており、外周パイプ５ａの左右両側の後端部からは、本体側フレーム４の上部パイプ４ｄの前部に結合される一対の連結片５ｃがそれぞれ突出しており、各連結片５ｃには図１に示すように上部パイプ４ｄのピン孔７と対応する位置にピン孔８が穿設されており、結合ピン９が挿入されることにより足用マッサージ台側フレーム５は結合ピン９を回転中心として本体側フレーム４の上部パイプ４ｄに対して回転自在に結合されるようになっている。図中の２２はスペーサ、２３は止め輪である。
【００１１】
ここで、結合ピン９を挿入できるようにするために結合ピン９と本体側フレーム４との間にクリアランスＳが設けられるが、本発明では、図１及び図２に示すように、本体側フレーム４の上部パイプ４ｄに、結合ピン９を本体側フレーム４のピン孔７の内壁面７ａに押し付けるための押し付け部材１０が装着されている。この押し付け部材１０は、例えば本体側フレーム４の上部パイプ４ｄの開口部４ｅから装着される外付けキャップ１１と、外付けキャップ１１の先端に一体に設けられたゴム、スポンジなどの弾性体１２とから成る。外付けキャップ１１は、上部パイプ４ｄの開口部４ｅに係止されるつば部付きの頭部１１ａと、上部パイプ４ｄ内に挿入される挿入部１１ｂとから成り、挿入部１１ｂには本体側フレーム４の内面に圧接する大径の圧接部１１ｃが複数突設されており、これにより、外付けキャップ１１が上部パイプ４ｄから抜け出るのが防がれている。また弾性体１２の先端は結合ピン９の外周面と略同じ曲率の半円形状に凹設されており、結合ピン９の外周面の約半分に圧接して、結合ピン９を本体側フレーム４のピン孔７の内壁面７ａに押し付ける働きをする。なお、押し付け部材１０は、結合ピン９を両方のピン孔７，８の内壁面にそれぞれ押し付けるものであってもよいものである。
【００１２】
上記足用マッサージ台側フレーム５は、図６に示すように、レバー２１によって座部６の前方に突出した状態と座部６の下方に収納した状態とに切り替え自在とされる。本実施形態では、座部６の側方には足用マッサージ台３を回動操作するレバー２１が設けられており、レバー２１の下端には第１リンク２２の一端が固定され、第１リンク２２の他端は略Ｌ字状の第２リンク２３の一端に枢着されている。一方、足用マッサージ台３の下面部に第３リンク２４の一端が枢着され、座部６の下面から突設された固定部５０に第４リンク２５の一端が枢着され、第３リンク２４の他端は第４リンク２５の他端に枢着されると共に、この第３リンク２４と第４リンク２５の枢着点に上記第２リンク２３の他端が枢着されている。これにより、レバー２１を図３の矢印方向Ａに回転させると、図６の実線で示すように、第１リンク２２が水平となり、第２リンク２３が第３リンク２４と第４リンク２５とを持ち上げることにより、第３リンク２４と第４リンク２５が伸長して足用マッサージ台側フレーム５が矢印方向Ｂに回動して略水平姿勢となり、足用マッサージ台３が使用可能となり、逆にレバー２１を図３の矢印方向Ａと反対方向に回転させると、図３の実線で示すように、第１リンク２２が垂直となり、第２リンク２３が第３リンク２４と第４リンク２５とを押し下げることにより、第３リンク２４と第４リンク２５が折り畳まれて足用マッサージ台側フレーム５が略垂直姿勢となり、足用マッサージ台３を座部６の下方に収納できるようになっている。なお図３中の３０はリンクバネ、３１はガススプリングである。
【００１３】
上記足用マッサージ台側フレーム５の外周パイプ５ａの内側には、振動ユニット１７が配置されている。振動ユニット１７としては、例えば振動式、ローラー式などのマッサージ機構があり、図４及び図５に示すように、バネ１４を介して足用マッサージ台側フレーム５の引掛け孔１６に取付けられている。本実施形態では、振動ユニット１７の四隅に４つのバネ１４の基端がそれぞれ連結され、各バネ１４の先端にはフック部１５が設けられ、このフック部１５は足用マッサージ台側フレーム５の四隅に対応して四箇所に設けられた引掛け孔１６にそれぞれ引っ掛けられている。このバネ１４は、振動ユニット１７そのものの振動を確保できるようにし、しかも振動ユニット１７の振動が足用マッサージ台側フレーム５に伝わるのを防止する働きをするものである。また、バネ１４のフック部１５は、図７に示すように、曲げ部１５ａと逆方向に折り曲げた逆曲げ部１５ｂとを一体形成して、全体として略Ｓ字状に形成されており、これにより矢印方向の力Ｆで引張られた時には曲げ部１５ａが引っ掛かり、また、逆向きの力Ｆ′が加わった時には逆曲げ部１５ｂが引っ掛かることにより、バネ１４のフック部１５が足用マッサージ台側フレーム５から外れない構造となっている。
【００１４】
しかして、レバー２１を図６の矢印方向Ａに倒すと、第１〜第４リンク２２〜２５を介して足用マッサージ台側フレーム５が矢印方向Ｂに持ち上げられて水平姿勢でロックされる。足用マッサージ台３の上に足を乗せて、操作器スイッチにより振動ユニット１７を作動させることにより、足のマッサージを行うことができる。
【００１５】
このとき、結合ピン９により足用マッサージ台側フレーム５を本体側フレーム４に回転自在に結合する方式を採用しており、従来と同様、結合ピン９と本体側フレーム４との間にクリアランスＳが生じているが、本発明では図１のように、本体側フレーム４の上部パイプ４ｄの開口部４ｅから押し付け部材１０である外付けキャップ１１を圧入して、押し付け部材１０の先端に設けた弾性体１２を結合ピン９に押し付けるようにしている。つまり、外付けキャップ１１の圧入により外付けキャップ１１は本体側フレーム４との摩擦によって押し込み状態で保持されて、弾性体１２が結合ピン９に押し付けられる。これにより、弾性体１２の反力で結合ピン９に図１の矢印方向Ｃに予圧が与えられ、結合ピン９がピン孔７の内壁面７ａに押し付けられて、結合ピン９と本体側フレーム４とのクリアランスＳ分のガタツキによる振動音の発生を防止できるようになる。従って、いかなる使用状態においても結合ピン９のガタツキをなくすことができ、振動、共鳴等を防止して快適なマッサージが行えるようになる。しかも、結合ピン９のガタツキをなくすことによって、結合ピン９そのものの磨耗防止を図ることができ、足用マッサージ台側フレーム５と本体側フレーム４の結合部の組立て性の向上、結合の信頼性の向上が図られる。
【００１６】
一方、足用マッサージ台側フレーム５に取付けられる振動ユニット１７はその四隅が４つのバネ１４を介して足用マッサージ台側フレーム５に連結されており、しかも、足用マッサージ台側フレーム５に設けた引掛け孔１６に引っ掛けられる各バネ１４のフック部１５はそれぞれ略Ｓ字状に形成されているので、バネ１４が例えば矢印方向の力Ｆで引張られた時には曲げ部１５ａが引っ掛かり、また、使用時の負荷や衝撃等によって逆向きの力Ｆ′が加わった時には曲げ部１５ａと逆方向に曲げられた逆曲げ部１５ｂが引っ掛かることとなり、バネ１４の外れを確実に防止できる。
【００１７】
ちなみに、従来のバネのフック部は単にＵ字状に折り曲げられているにすぎないために、通常は矢印方向の引張り力Ｆが加わっているため、引掛け孔から外れないが、使用時の負荷や衝撃等により矢印方向の逆の力Ｆ′が加わった場合には、フック部が外れ易くなる。特に足用マッサージ台側フレーム５への振動の伝達を低くするためにバネの張力を弱くすると、足用マッサージ台側フレーム５への振動の伝達を減少できても、バネが一層外れ易くなり、このため振動ユニット１７の取付け性が悪化するという問題があった。
【００１８】
これに対して本発明では、図７に示すように、足用マッサージ台側フレーム５に引っ掛けられるバネ１４のフック部１５を略Ｓ字状に形成してあるので、矢印方向に引張られた時には曲げ部１５ａが引っ掛かり、また、逆向きの力が加わった時には逆曲げ部１５ｂが引っ掛かることにより、バネ１４のフック部１５が足用マッサージ台側フレーム５から外れる心配がなく、振動ユニット１７の取付け性がきわめて良くなる。またバネ１４の外れを防止できることで、バネ１４の張力を弱めて、足用マッサージ台側フレーム５への振動の伝達を防止できると共に、バネ１４の張力を弱めることで振動ユニット１７そのものの振動を確保できるようになる。このように、バネ１４のフック部１５を略Ｓ字状に形成するという簡単な構造で、振動ユニット１７の外れを防止できるので、任意のバネ１４定数（引張り荷重）が設定でき、幅広い振動状態に設定することができると共に、共振や足用マッサージ台側フレーム５への振動の伝達を安価にしかも容易になくすことが可能となる。
【００１９】
上記押し付け部材１０の他の実施形態を図８及び図９に示している。押し付け部材１０以外の他の構成は図１の実施形態と同様である。
図８は、外付けキャップ１１の先端に結合ピン９側に開口したテーパー状保持体１３ａを設け、このテーパー状保持体１３ａにて結合ピン９をピン孔７の内壁面７ａに押し付けた状態で保持する場合を示しており、このテーパー状保持体１３ａは、先端程大きく開口しており、例えば結合ピン９の直径をφ、一対のテーパー状保持体１３ａの基端側の内径をφ′としたとき、φ＞φ′とすることで、テーパー状保持体１３ａによって結合ピン９を確実に保持してガタツキの発生防止を図ることができる。しかも保持体１３ａをテーパー状に形成したことにより、結合ピン９と外付けキャップ１１間の寸法のバラツキを吸収でき、結合ピン９をテーパー状保持体１３ａを介して外付けキャップ１１に確実に固定保持できるものとなる。
【００２０】
また図９は、外付けキャップ１１の先端に延出片２６を突出させ、延出片２６の先端から延出片２６と平行且つ反対方向に折り返した折り返し片２７の先端にＵ字状保持体１３ｂの一端を一体に設けた場合を示している。例えば結合ピン９の直径をφ、Ｕ字状保持体１３ｂの内径をφ″としたとき、φ＞φ″とすることで、結合ピン９をＵ字状保持体１３ｂによって確実に保持してガタツキの発生防止を図ることができると共に、延出片及び折り返し片によって結合ピン９と外付けキャップ１１間の寸法のバラツキを吸収でき、結合ピン９を外付けキャップ１１に確実に固定保持できるようになる。
【００２１】
なお、押し付け部材１０の構造は、上記実施形態のような弾性体１２を備えた外付けキャップ１１、或いはテーパー状保持体１３ａ又はＵ字状保持体１３ｂを備えた外付けキャップ１１に限定されるものではなく、結合ピン９を少なくとも一方のピン孔７の内壁面７ａに押し付けるためのものであれば、その形状は問わない。
【００２２】
【発明の効果】
以上説明したように、本発明のうち請求項１記載の発明は、足用マッサージ台が本体側フレームに回転自在に取付けられ、足用マッサージ台を本体の座部の前方に突出させた状態と座部の下方に収納した状態に切り替え自在となった椅子型のマッサージ機において、足用マッサージ台側フレームに設けたピン孔と本体側フレームに設けたピン孔とに挿入されて足用マッサージ台側フレームを本体側フレームに回転自在に結合するための結合ピンと、該結合ピンを少なくとも一方のピン孔の内壁面に押し付けるための押し付け部材とを備え、足用マッサージ台側フレームに足用マッサージ用の振動ユニットが取付けられているので、足用マッサージ台の上に足を乗せて振動ユニットを作動させることにより、振動によって足のマッサージを快適に行うことができるものであり、また、たとえ結合ピンと本体側フレームとの間にクリアランスが生じていても、押し付け部材により結合ピンがピン孔の内壁面に押し付けられることにより、結合ピンと本体側フレームとのクリアランス分のガタツキによる振動音の発生を防止できるようになる。従って、いかなる使用状態においても結合ピンのガタツキをなくすことができ、振動、共鳴等を防止して快適な使用性が得られる。さらに、結合ピンのガタツキをなくすことによって、結合ピンそのものの磨耗防止を図ることができ、足用マッサージ台側フレームと本体側フレームの結合部の組立て性の向上、結合の信頼性の向上が図られるものである。
【００２３】
また請求項２記載の発明は、請求項１記載の足用マッサージ台側フレームにバネを介して足用マッサージ用の振動ユニットが取付けられ、足用マッサージ台側フレームの引掛け孔に引っ掛けられるバネのフック部が曲げ部と逆曲げ部とを備えた略Ｓ字状に形成されているから、請求項１記載の効果に加えて、引張り方向に力が加わった時、また、逆向きの力が加わった時でも、曲げ部と逆曲げ部とを備えフック部が足用マッサージ台側フレームの引掛け孔から外れる心配がなく、振動ユニットの取付け性がきわめて良くなる。またバネの外れを防止できることで、バネの張力を弱めて、足用マッサージ台側フレームへの振動の伝達を防止できると共に、バネの張力を弱めることで振動ユニットそのものの振動を確保できるようになる。この結果、バネのフック部を略Ｓ字状に形成するという簡単な構造で、振動ユニットの外れを防止できるので、任意のバネ定数（引張り荷重）が設定でき、幅広い振動状態に設定することができると共に、共振や足用マッサージ台側フレームへの振動の伝達を安価にしかも容易になくすことが可能となる。
【図面の簡単な説明】
【図１】本発明の実施形態の一例を示し、（ａ）は平面断面図、（ｂ）は正面断面図である。
【図２】同上の本体側フレームと結合ピンと押し付け部材の分解斜視図である。
【図３】同上のマッサージ機の側面図である。
【図４】同上の足用マッサージ台側フレーム及び振動ユニットの取付け状態の説明図である。
【図５】図４の側面図である。
【図６】同上のレバーによる足用マッサージ台側フレームの回転動作の説明図である。
【図７】（ａ）は図４のイ部の拡大図、（ｂ）は（ａ）の破断した斜視図である。
【図８】（ａ）（ｂ）は他の実施形態の分解斜視図及び組立て図である。
【図９】（ａ）（ｂ）はさらに他の実施形態の分解斜視図及び組立て図である。
【図１０】マッサージ機の斜視図である。
【符号の説明】
１  マッサージ機
２  本体
３  足用マッサージ台
４  本体側フレーム
５  足用マッサージ台側フレーム
６  座部
７，８  ピン孔
７ａ  内壁面
９  結合ピン
１０  押し付け部材
１４  バネ
１５  フック部
１６  引掛け孔
１７  振動ユニット
【図１】
0003584677.tif 000002
【図２】
0003584677.tif 000003
【図３】
0003584677.tif 000004
【図４】
0003584677.tif 000005
【図５】
0003584677.tif 000006
【図６】
0003584677.tif 000007
【図７】
0003584677.tif 000008
【図８】
0003584677.tif 000009
【図９】
0003584677.tif 000010
【図１０】
0003584677.tif 000011